(57)【要約】【課題】体積の割に質量の大きな被洗物を洗濯する場合にも、回転ドラム内で被洗物の偏りが発生せず、回転ドラムに偏荷重が掛かるのを防止して振動或いは運転停止等の弊害を回避できる回転ドラム式洗濯機を提供する。【解決手段】被洗物３４を収容して回転する回転ドラム２と、回転ドラム２の内周面に突設された複数のハット２５と、回転ドラム２を収納すると共に、洗濯時に洗浄水を貯留するシェル５とを備えてなる回転ドラム式洗濯機であって、ハット２５に仕切板２６の基端部を着脱可能に取り付け、該仕切板により回転ドラム内を３つの分割室２２ａ、２２ｂ、２２ｃに区画する。【選択図】　　　図７
2004097317.tif 000002
【特許請求の範囲】
【請求項１】
周壁に複数の貫通孔が開口され、被洗物を収容して回転する回転ドラムと、該回転ドラムの内周面に突設された複数の攪拌突起部と、回転ドラムを回転可能な状態で収納すると共に、洗濯時に洗浄水を貯留するシェルと、を備えた回転ドラム式洗濯機において、
上記攪拌突起部に仕切板の基端部を着脱可能に取り付け、該仕切板により回転ドラム内を複数の分割室に区画することを特徴とする回転ドラム式洗濯機。
【請求項２】
ｎ枚の仕切板を回転ドラムの中心部分から半径方向に３６０度／ｎ位相を変えて放射状に配置し、各仕切板の基部を攪拌突起部に着脱可能に取り付けると共に、各仕切板の先端部を回転ドラムの中心部分に纏めて止着し、回転ドラム内をｎ個の分割室に区画することを特徴とする請求項１に記載の回転ドラム式洗濯機。
【請求項３】
各仕切板の基端部は、前記攪拌突起部に鞍掛け状態で取り付けられることを特徴とする請求項１または請求項２に記載の回転ドラム式洗濯機。
【請求項４】
前記仕切板により区画された回転ドラムの分割室内に、洗浄ブラシを着脱可能に設けたことを特徴とする請求項１から請求項３のいずれかに記載の回転ドラム式洗濯機。
【発明の詳細な説明】
【０００１】
【発明の属する技術分野】
本発明は、脱水・乾燥機能を備えた回転ドラム式洗濯機に関し、特に回転ドラムの回転軸芯を横向きにした横型の回転ドラム式洗濯機に適するものである。
【０００２】
【従来の技術】
近年、回転ドラム式洗濯機は、脱水機能のみならず、乾燥機能をも備えたものが製品化されている。この種の回転ドラム式洗濯機は、その筐体内に中空室としてのシェルが区画形成され、このシェル内に、周壁に複数の貫通孔が開口された回転ドラムが回転可能に収納されており、該回転ドラム内に被洗物を収容すると共にシェル内に洗浄水を供給して、回転ドラムを回転させることにより、汚れた被洗物を洗濯するように成っている。
【０００３】
また脱水時には、回転ドラムを高速回転させて遠心力により被洗物に含まれた水分を脱水し、さらに乾燥時には回転ドラムを回転させることにより被洗物を攪拌しながらシェル内に熱風を供給して被洗物を乾燥するように構成されている。
【０００４】
回転ドラム式洗濯機には、回転ドラムの回転軸芯を縦向きに配した竪型のものと、横向きに配した横型のものとがあり、特に横型のものでは、回転ドラムの内周面に攪拌突起として複数のハット（バッフル）を突設しており、このハットにより被洗物を引っ掛けて上昇させて落下させることにより、洗浄工程においては叩き効果を発生させて被洗物の洗浄効果を向上させ、また、乾燥工程では被洗物を攪拌させて乾燥効果を向上させている（例えば、特許文献１参照。）。
【０００５】
【特許文献１】
特開２００１−６２１８９号公報（第４頁，第２図）
【０００６】
【発明が解決しようとする課題】
ところで、従来の回転ドラム式洗濯機にあっては、被洗物を収容する回転ドラム内は仕切りのない円柱形の一つの室として形成されている。したがって、洗濯中には被洗物が偏っていても回転ドラムの回転速度が遅いので問題は生じないが、脱水時には回転ドラムの回転速度が速いので回転ドラム内で被洗物の片寄りが発生すると回転ドラムに偏荷重が掛かり、振動或いは運転停止等の弊害が生じていた。
【０００７】
運転が停止することなく、被洗物が片寄った状態で脱水が終了しても、被洗物が片寄った状態では乾燥時における熱風の通気性が悪く、被洗物に乾燥むらが生じていた。
【０００８】
その対策として、回転ドラム内での被洗物の片寄りを防止すべく、回転ドラムの回転方向を正逆に変化させる所謂ほぐし運転を実施していたが、特に、横型の回転ドラム式洗濯機を用いて、例えば、運動靴等の体積の割に質量の大きな被洗物を洗濯する場合には、図１２に示すように、回転ドラム５１内の下部に被洗物５２の片寄りが発生し、回転ドラム５１に偏荷重が掛かり易くなり、又、回転による叩き効果で被洗物５２が損傷する虞れがあった。
【０００９】
本発明は、このような事情に鑑みてなされたものであり、その目的は、体積の割に質量の大きな被洗物を洗濯する場合にも、回転ドラム内で被洗物の片寄りが大きく発生することがなく、回転ドラムに大きな偏荷重が掛かるのを防止して振動或いは運転停止等の弊害を回避することができ、被洗物が損傷する虞れのない回転ドラム式洗濯機を提供することにある。
【００１０】
【課題を解決するための手段】
本発明は上記目的を達成するために提案されたもので、請求項１に記載のものは、周壁に複数の貫通孔が開口され、被洗物を収容して回転する回転ドラムと、該回転ドラムの内周面に突設された複数の攪拌突起部と、回転ドラムを回転可能な状態で収納すると共に、洗濯時に洗浄水を貯留するシェルと、を備えた回転ドラム式洗濯機において、
上記攪拌突起部に仕切板の基端部を着脱可能に取り付け、該仕切板により回転ドラム内を複数の分割室に区画することを特徴とする。
【００１１】
請求項２に記載のものは、ｎ枚の仕切板を回転ドラムの中心部分から半径方向に３６０度／ｎ位相を変えて放射状に配置し、各仕切板の基部を攪拌突起部に着脱可能に取り付けると共に、各仕切板の先端部を回転ドラムの中心部分に纏めて止着し、回転ドラム内をｎ個の分割室に区画することを特徴とする請求項１に記載の回転ドラム式洗濯機である。
【００１２】
請求項３に記載のものは、各仕切板の基端部は、前記攪拌突起部に鞍掛け状態で取り付けられることを特徴とする請求項１または請求項２に記載の回転ドラム式洗濯機である。
【００１３】
請求項４に記載のものは、前記仕切板により区画された回転ドラムの分割室内に、洗浄ブラシを着脱可能に設けたことを特徴とする請求項１から請求項３のいずれかに記載の回転ドラム式洗濯機である。
【００１４】
【発明の実施の形態】
以下、本発明の実施の形態を図面に基づいて説明する。
図１は、本発明に係る回転ドラム式洗濯機の第１の実施形態を示す斜視図であり、前面の開閉扉を開放した状態を示している。また図２は、第１の実施形態の回転ドラム式洗濯機の主要構成要素を示す概略縦断面図である。
【００１５】
これらの図面に示すように、第１の実施形態の回転ドラム式洗濯機１は、回転ドラム２の回転軸芯を横向きに配した横型の回転ドラム式洗濯機（以下、単に「回転洗濯機」という。）であり、洗濯機能の他に脱水機能及び乾燥機能を備えており、一基の洗濯槽（回転ドラム２）で洗濯、脱水及び乾燥を行うことができるように構成されている。即ち、本実施形態の回転洗濯機１は、前面に開閉扉３を有する概ね直方体状の筺体４の内部に、洗濯時に洗浄水を貯留する中空室としてのシェル５が区画形成されており、このシェル５内に、周壁に複数の小さな貫通孔６が開口された概ね有底円筒体状の回転ドラム２が回転可能に収納されており、この回転ドラム２内に被洗物を収容すると共にシェル５内に洗浄水を供給して、回転ドラム２を回転させることにより、汚れた被洗物を洗濯するように成っており、またシェル５内の洗浄水を排水管を介して排出してから回転ドラム２を回転させて遠心力により被洗物に含まれた水分を脱水し、さらにシェル５内に温風乃至熱風を供給して回転ドラム２を回転させることにより、脱水後の被洗物を乾燥するように成っている。
【００１６】
シェル５は、本実施形態の回転洗濯機１の前面側中央部に区画形成された概ね横置き円柱状の中空室であり、円形の取出口を開口した前面の周りに概ね長方形状の開口窪部７が筐体４の前面との間に形成され、この開口窪部７にはシール材８を介して開閉扉３がヒンジ機構等により開閉可能に取り付けられている。したがって、開閉扉３を閉じた状態ではシール材８により密閉されるので、外部に水漏れすることがない。
【００１７】
図２に示すように、シェル５の後側下部には循環ダクト９が接続されており、筐体４内の後部側において鉛直方向に沿って立ち上がった立上りダクト部９ａ、及び筐体４内の上部側において水平方向に沿って前方へ延出された供給ダクト部９ｂを介して、シェル５の前側上部に至るように接続されている。
【００１８】
また、シェル５の後側下部における循環ダクト９の基部には、下方へ向けて排水管１０が分岐接続されており、この排水管１０には排出弁１１が設けられている。したがって、この排出弁１１を開放することにより、シェル５内に貯留した洗浄水を排出することができる。
【００１９】
循環ダクト９の立上りダクト部９ａの上部にはファン１２が設けられており、シェル５から循環ダクト９の立上りダクト部９ａ及び供給ダクト部９ｂを経て、再びシェル５へと至る循環風流を発生するように成っている。供給ダクト部９ｂにはヒーター１３が設けられており、循環風流はヒーター１３に接触して温風乃至熱風となり、シェル５内へ供給される。また、循環ダクト９の立上りダクト部９ａの下部には、シェル５の出口温度を検出するサーミスター１４が設けられている。さらに、循環ダクト９の立上りダクト部９ａにおけるサーミスター１４とファン１２との間には、開閉弁１５を介して、立上りダクト部９ａ内に冷却水を噴霧する冷却水ノズル１６が設けられており、乾燥時には冷却水ノズル１６から噴霧される冷却水によって被洗物から離脱したリント（微細繊維や塵など）が叩き落とされ、フィルターの役目を果たすように成っている。
【００２０】
回転ドラム２は、上述したように、周壁に複数の貫通孔６が開口された有底円筒体状の洗濯槽であり、例えば、プラスチックやステンレス鋼等により成形され、所定の間隔を隔ててシェル５内に収納されており、駆動モーターを備えた駆動部１７により正逆回転可能に軸支され、被洗物を収容して正逆回転、低速・高速回転しうるように構成されている。本実施形態の回転洗濯機１は横型の回転ドラム式洗濯機であるので、回転ドラム２の回転軸１８が防水構造を有する軸受１９に横向きに軸支されており、特に本実施形態では水平に軸支しているが、これに限るものではなく、前面側を斜め上方へ向けて傾斜させて軸支してもよい。即ち、本実施形態の回転洗濯機１では、有底円筒体の底部に相当する部分が回転ドラム２の後面２ａとなり、前方側も円形の開口部２０を有するリング状の前面２ｂで覆われている。
【００２１】
なお、竪型の回転ドラム式洗濯機として構成する場合には、回転ドラム２の回転軸１８が鉛直方向に沿って縦向きに軸支されることになる。
【００２２】
上述したように、シェル５の前面開口窪部７は開閉扉３により開閉されるが、この開閉扉３の内側には回転ドラム２の円形開口部２０に臨んでドーム部材２１が突設されており、回転ドラム２内から被洗物が飛び出るのを防止している。また、このドーム部材２１の上部には切欠き部２１ａが形成されており、循環ダクト９から供給される熱風の回転ドラム２内への導入を円滑にしている。
【００２３】
なお、図１において、２３は筐体４の上部に配された運転制御用の操作パネルであり、２４は開閉扉３の開放ボタンである。
【００２４】
回転ドラム２の周壁内面には、図３に示すように、その中心へ向けて複数のハット２５が攪拌突起部として周方向に等間隔で突設されており、回転ドラム２の回転に伴って各ハット２５により被洗物を引っ掛けて上昇させて落下させることにより、洗濯工程における所謂叩き効果を発生させて被洗物の洗浄効果を向上させるとともに、乾燥工程における攪拌による乾燥効果を向上させるように成っている。各ハット２５は、例えば、横断面形状が台形状（ハット形）を呈し、回転ドラム２の周壁内面の奥行きの長さに亘って配されており、各ハット２５の頂部には後述する仕切板の取付部（ボルト孔）２５ａがその長手方向に沿って等間隔で形成されている。そして、図４及び図５に示すように、各ハット２５の頂部に形成したボルト孔２５ａを利用して、回転ドラム２内を複数の分割室２２ａ、２２ｂ、２２ｃに区画する仕切板２６が着脱可能に取り付けられている。
【００２５】
ｎ枚の仕切板２６を回転ドラム２の中心部分から半径方向に３６０度／ｎ位相を変えて回転ドラム２内に放射状に配置し、各仕切板２６の基端部を攪拌突起部（ハット）２５に着脱可能に取り付けると共に、各仕切板２６の先端部を回転ドラム２の中心部分に纏めて止着すると、回転ドラム２内をｎ個の分割室２２に区画することができる。
【００２６】
具体的には、図面に示す実施形態においてはｎ＝３の場合であり、回転ドラム２内に１２０度位相を変えて等間隔に３つのハット２５を設け、各ハット２５に個別に仕切板２６が取り付けられ、これらの仕切板２６を組み合わせて回転ドラム２内に３つの分割室２２ａ、２２ｂ、２２ｃが区画されており、複数の仕切板２６は互いに支持し合うように纏められてボルト２７及びナット２８で結合されている（３６０度／ｎ、ｎ＝３）。即ち、図６に示すように、仕切板２６は複数の貫通孔２９が形成された板状の部材であり、ハット２５の頂部に着座する基端部２６ａは直角に折曲げ加工されており、その反対側である先端部分は互いに支持し合う延出部２６ｂとして基端部２６ａとは反対側へ１２０度の角度で折曲げ加工されている。仕切板２６の基端部２６ａ及び延出部２６ｂにはボルト孔３０，３１がそれぞれ開設されており、延出部２６ｂ寄りに位置する支持部２６ｃにもボルト孔３２が開設され、基端部２６ａのボルト孔３０にボルト３３を挿通させてハット２５の頂部に形成したボルト孔２５ａに螺合すると共に、中心部に正三角形の空間を形成するように延出部２６ｂのボルト孔３１を他の仕切板２６の支持部２６ｃのボルト孔３２に重ね合わせて支持し、ボルト２７及びナット２８で結合している。
【００２７】
次に、第１の実施形態の回転洗濯機１における作用を説明する。
本実施形態の回転洗濯機１は、上述したように、横型の回転ドラム式洗濯機であり、脱水機能及び乾燥機能を備えており、一基の洗濯槽（回転ドラム２）で洗濯、脱水及び乾燥を行うことができ、給水、排水、洗剤供給、柔軟剤供給機能を有している。
【００２８】
まず、筐体４の前面の開閉扉３を開放して、回転ドラム２内に被洗物を投入するが、例えば、運動靴等の体積の割に質量の大きな被洗物を洗濯する場合には、被洗物の投入前に回転ドラム２の内周壁に突設されたハット２５を利用して仕切板２６を取り付け、回転ドラム２内を３の分割室２２ａ、２２ｂ、２２ｃに区画した上で、図７に示すように、各分割室２２ａ、２２ｂ、２２ｃに略均等に被洗物を分けて投入する。そして、開閉扉３を閉じてから操作パネル２３の作動開始ボタンを押すとシェル５内に注水が行われ、注水の完了後に洗い工程が開始されることになる。
【００２９】
洗い工程及びその次のすすぎ工程が完了すると、排水弁１１が開放されてシェル５内の洗浄水が排水され、順次脱水工程、乾燥工程へと移行することになる。脱水工程は、排水弁１１を開放した状態で回転ドラム２を回転させることにより遠心力で被洗物３４に含まれている水分を除去する。乾燥工程は、循環ダクト９の供給ダクト部９ｂに設けられたヒーター１３にファン１２により発生させた循環風流を当てて熱風とし、シェル５を介して回転ドラム２内へ供給する。回転ドラム２内に導入された熱風は周壁に形成された貫通孔６から外側のシェル５内へと流出し、循環ダクト９の立上りダクト部９ａを介してファン１２へ吸引される。このファン１２へ吸引される手前で、熱風は冷却ノズル１６から噴霧される冷却霧により冷却されると共に、熱風中に含まれるリント（微細な糸屑など）も除去され、清風となってヒーター１３に加熱され、再び回転ドラム２内に熱風として供給される。この供給熱風は、出口温度監視サーミスター１４により制御される。
【００３０】
本実施形態の回転洗濯機１によれば、例えば図７に示すような運動靴等の体積の割に質量の大きな被洗物３４を洗濯する場合に、仕切板２６により区画した各分割室２２ａ、２２ｂ、２２ｃに被洗物３４を略均等に分けて配するので、洗濯の終了後に脱水、乾燥工程へと移行しても、従来のように回転ドラム２内で被洗物３４の偏りが発生することがなく、回転ドラム２に偏荷重が掛かるのを防止して振動或いは運転停止等の弊害を回避することができる。
【００３１】
また、各分割室２２ａ、２２ｂ、２２ｃ内において、運動靴等の体積の割に質量の大きな被洗物３４が回転に追従して落下するので、従来よりも落下距離が短くなり、所謂叩き効果によって被洗物３４が損傷する虞れもない。
【００３２】
なお、体積の割りに質量の小さな被洗物、例えば衣類を洗濯する場合には、仕切板２６を取り外して洗濯する。この場合には、回転ドラム２が回転するとハット２５が衣類を引っ掛けて上昇させてから落下させるので、所謂叩き効果により洗浄効果を高めることができ、また、乾燥工程ではハット２５が衣類を攪拌して熱風の通りを良くするので、乾燥効果を高めることができ、ハット２５の攪拌機能を十分に発揮させることができる。
【００３３】
図８は第２の実施形態の回転洗濯機４１における回転ドラム２内の構造を示す径方向概略断面図であり、図９は第２の実施形態の回転洗濯機４１における仕切板４２の構造を示す模式図である。なお、第１の実施形態と同一の構成要素については同一の符号を付して説明する。
【００３４】
第２の実施形態の回転洗濯機４１は、洗濯機としての基本的構成は第１の実施形態と同様の構成を有するが、特に運動靴等の体積の割に質量の大きな被洗物を洗濯する場合における回転ドラム２内の構造が第１の実施形態と異なっている。
【００３５】
第２の実施形態の回転洗濯機４１における仕切板４２は、各ハット２５に個別に鞍掛け固定され、これらの仕切板４２を組み合わせて回転ドラム２内に３つの分割室２２ａ、２２ｂ、２２ｃが区画されており、仕切板４２は互いに支持し合うようにボルト２７及びナット２８で結合されている。即ち、図９に示すように、仕切板４２は複数の貫通孔２９が形成された板状の部材であり、基端部４２ａはハット２５に鞍掛けしうるように互い違いに略Ｌ字状に折曲げた脚部４２ｅが形成されており、互いに支持し合う延出部４２ｂは１２０度の角度で折曲げ加工されている。また、仕切板４２の後方側端部には回転ドラム２の後面２ａに当接する当接片４２ｄが折曲げ加工されており、この当接片４２ｄ及び延出部４２ｂにはボルト孔４３、４４が形成されており、延出部４２ｂの近傍に位置する支持部４２ｃにもボルト孔４５が形成されている。したがって、図１０に示すように、基端部４２ａの脚部４２ｅをハット２５を上方から覆うように鞍掛けすると共に、延出部４２ｂのボルト孔４４を他の仕切板４２の支持部４２ｃのボルト孔４５に連通させてボルト２７及びナット２８で結合し、さらに、仕切板４２の当接片４２ｄのボルト孔４３にボルト４６を挿通させて回転ドラム２の後面２ａのボルト孔に螺合すると、３枚の仕切板４２を回転ドラム２内に固定して３つの分割室２２ａ，２２ｂ，２２ｃに区画することができる。
【００３６】
また、図８に示したように、仕切板４２により区画された回転ドラム２の各分割室２２ａ、２２ｂ、２２ｃ内には、洗浄ブラシ４７が着脱可能に配されている。具体的には、洗浄ブラシ４７は、図１１に示すように、丸棒４７ａの周囲にブラシ毛４７ｂを植え込んだ全周ブラシであり、その基端部はボルト部４７ｃとして形成されており、このボルト部４７ｃを回転ドラム２の後面２ａに形成したボルト孔（図示せず）に螺合することにより、必要に応じて取り付けうるように成っている。
【００３７】
第２の実施形態は基本的に第１の実施形態と同様の作用効果を奏するが、特に第２の実施形態によれば、例えば、運動靴等の体積の割に質量の大きな被洗物を洗濯するに際して、回転ドラム２の内周面に突設された複数のハット２５に回転ドラム２内を複数の分割室２２ａ、２２ｂ、２２ｃに区画する仕切板４２を着脱可能に取り付けるが、各仕切板４２の基端部４２ａは各ハット２５に鞍掛けされるので、ハット２５を利用して仕切板４２の取り付けを極めて容易に行うことができる。また、運動靴等の体積の割に質量の大きな被洗物は、洗濯の際に回転ドラム２の回転に伴って洗浄ブラシ４７によりこすられるので、洗浄効果を著しく高めることができるものである。
【００３８】
なお、上記の実施形態では、回転ドラムの回転軸を横向きに配した横型の回転ドラム式洗濯機に適用することが効果的であるため、横型の回転ドラム式洗濯機を例にして説明したが、これに限るものではなく、回転ドラムの回転軸を縦向きに配した竪型の回転ドラム式洗濯機にも適用できることは言うまでもない。
また、本発明は家庭用洗濯機に限らず、業務用、例えばコインランドリー用の洗濯機にも適用することができる。
【００３９】
【発明の効果】
以上説明したように本発明によれば、次のような優れた効果を奏する。
即ち、請求項１に記載の発明によれば、回転ドラムの内周面に突設された複数の攪拌突起部に仕切板の基端部を着脱可能に取り付け、該仕切板により回転ドラム内を複数の分割室に区画するので、例えば、運動靴等の体積の割に質量の大きな被洗物を洗濯する場合に、各分割室に被洗物を略均等に投入することができ、洗い工程終了後に脱水、乾燥工程で回転ドラムを高速回転しても、回転ドラム内で被洗物の偏りが少なくなり、回転ドラムに掛かる偏荷重を著しく低減することができる。したがって、振動或いは運転停止等の弊害を回避することができる。また、各分割室内において運動靴等の体積の割に質量の大きな被洗物が回転に追従し落下するので、落下距離が短くなり、被洗物が損傷する虞れがない。
【００４０】
請求項２に記載の発明によれば、ｎ枚の仕切板を回転ドラムの中心部分から半径方向に３６０度／ｎ位相を変えて放射状に配置し、各仕切板の基部を攪拌突起部に着脱可能に取り付けると共に、各仕切板の先端部を回転ドラムの中心部分に纏めて止着し、回転ドラム内をｎ個の分割室に区画するので、仕切板の取り付け、取り外しの作業性が良い。
【００４１】
請求項３に記載の発明によれば、仕切板の基端部は、前記攪拌突起部に鞍掛け状態で取り付けられるので、取り付け、取り外しの作業性が一層向上し、また、仕切板の剛性を担保することができる。
【００４２】
請求項４に記載の発明によれば、仕切板により区画された回転ドラムの各分割室内には、洗浄ブラシが着脱可能に配されるので、例えば、運動靴等の体積の割に質量の大きな被洗物を洗濯する際に、回転ドラムの回転に伴って被洗物が洗浄ブラシと接触し、洗浄効果を飛躍的に高めることができる。
【図面の簡単な説明】
【図１】本発明に係る回転ドラム式洗濯機の第１の実施形態を示す斜視図である。
【図２】第１の実施形態の回転ドラム式洗濯機の主要構成要素を示す概略縦断面図である。
【図３】第１の実施形態の回転洗濯機における回転ドラムの径方向概略断面図である。
【図４】第１の実施形態の回転洗濯機における仕切板の取付け状態を示す回転ドラムの径方向概略断面図である。
【図５】第１の実施形態の回転洗濯機における概略縦断面図である。
【図６】第１の実施形態の回転洗濯機における仕切板の構造を説明する図であり、（ａ）は仕切板の正面図、（ｂ）は仕切板の平面図、（ｃ）は仕切板の側面図、（ｄ）は仕切板の底面図である。
【図７】第１の実施形態の回転洗濯機において、各分割室に略均等に被洗物を配した状況を示す回転ドラムの径方向概略断面図である。
【図８】第２の実施形態の回転洗濯機における回転ドラム内の構造を示す径方向概略断面図である。
【図９】第２の実施形態の回転洗濯機における仕切板の構造を説明する図であり、（ａ）は仕切板の正面図、（ｂ）は仕切板の平面図、（ｃ）は仕切板の側面図、（ｄ）は仕切板の底面図である。
【図１０】第２の実施形態の回転洗濯機において、仕切板のハットへの装着状況を示す部分斜視図である。
【図１１】第２の実施形態の回転洗濯機における洗浄ブラシを示す斜視図である。
【図１２】従来の回転洗濯機において、回転ドラム内に被洗物を配した状況を示す径方向概略断面図である。
【符号の説明】
１　回転洗濯機
２　回転ドラム
２ａ　後面
２ｂ　前面
３　開閉扉
４　筺体
５　シェル
６　貫通孔
７　開口窪部
８　シール材
９　循環ダクト
９ａ　立上りダクト部
９ｂ　供給ダクト部
１０　排水管
１１　排出弁
１２　ファン
１３　ヒーター
１４　サーミスター
１５　開閉弁
１６　冷却水ノズル
１７　駆動部
１８　回転軸
１９　軸受
２０　開口部
２１　ドーム部材
２１ａ　切欠き部
２２ａ，２２ｂ，２２ｃ　分割室
２３　操作パネル
２４　開放ボタン
２５　攪拌突起部（ハット）
２５ａ　取付部
２６　仕切板
２６ａ　基端部
２６ｂ　延出部
２６ｃ　支持部
２７　ボルト
２８　ナット
２９　貫通孔
３０，３１，３２　ボルト孔
３３　ボルト
３４　被洗物
４１　回転洗濯機
４２　仕切板
４２ａ　基端部
４２ｂ　延出部
４２ｃ　支持部
４２ｄ　当接片
４２ｅ　脚部
４３，４４，４５　ボルト孔
４６　ボルト
４７　洗浄ブラシ
４７ａ　丸棒
４７ｂ　ブラシ毛
４７ｃ　ボルト部
【図１】
2004097317.tif 000003
【図２】
2004097317.tif 000004
【図３】
2004097317.tif 000005
【図４】
2004097317.tif 000006
【図５】
2004097317.tif 000007
【図６】
2004097317.tif 000008
【図７】
2004097317.tif 000009
【図８】
2004097317.tif 000010
【図９】
2004097317.tif 000011
【図１０】
2004097317.tif 000012
【図１１】
2004097317.tif 000013
【図１２】
2004097317.tif 000014